(57)【要約】【課題】浄化装置のメンテナンス性に優れた飼育装置を提供する。【解決手段】飼育装置は、水槽と、水槽が載置される架台３と、架台３の内部に設置され、水槽の貯留水を浄化する浄化装置と、架台３の内部に設置された浄化装置の制御盤２６とを有し、架台３の側方部３１，３２は互いに対向する一対の幅広の側方部３１と互いに対向する一対の幅狭の側方部３２とからなる。一態様では、制御盤２６は一方の幅広の側方部３１Ｂに面して配置され、浄化装置の少なくとも一部１６，１７は他方の幅広の側方部３１Ａに面して配置されている。他の態様では、制御盤２６は一方の幅広の側方部３１Ｂに面して配置され、浄化装置の少なくとも一部２０，２２，２４は制御盤２６を挟んで一方の幅広の側方部３１Ｂの反対側に配置されている。【選択図】図４
2020018213.tif 000002
【特許請求の範囲】
【請求項１】
水槽と、前記水槽が載置される架台と、前記架台の内部に設置され、前記水槽の貯留水を浄化する浄化装置と、前記架台の内部に設置された前記浄化装置の制御盤とを有し、
前記架台の側方部は互いに対向する一対の幅広の側方部と互いに対向する一対の幅狭の側方部とからなり、前記制御盤は一方の前記幅広の側方部に面して配置され、前記浄化装置の少なくとも一部は他方の前記幅広の側方部に面して配置されている飼育装置。
【請求項２】
水槽と、前記水槽が載置される架台と、前記架台の内部に設置され、前記水槽の貯留水を浄化する浄化装置と、前記架台の内部に設置された前記浄化装置の制御盤とを有し、
前記架台の側方部は互いに対向する一対の幅広の側方部と互いに対向する一対の幅狭の側方部とからなり、前記制御盤は一方の前記幅広の側方部に面して配置され、前記浄化装置の少なくとも一部は前記制御盤を挟んで前記一方の幅広の側方部の反対側に配置されている飼育装置。
【請求項３】
水槽と、前記水槽が載置される架台と、前記架台の内部に設置され、前記水槽の貯留水を浄化する浄化装置と、前記架台の内部に設置された前記浄化装置の制御盤とを有し、
前記架台の側方部は互いに対向する一対の幅広の側方部と互いに対向する一対の幅狭の側方部とからなり、前記制御盤は一方の前記幅狭の側方部に面して配置され、前記浄化装置の少なくとも一部は一方の前記幅広の側方部に面して配置されている飼育装置。
【請求項４】
前記浄化装置は前記水槽の貯留水をろ過するフィルターと、泡沫で前記貯留水の異物を除去する泡沫分離装置と、前記泡沫分離装置にオゾンを供給するオゾン供給装置と、前記貯留水を浄化する活性炭装置と、前記泡沫分離装置から排出される排オゾンを分解するオゾン分解触媒装置の少なくともいずれかを含む、請求項１から３のいずれか１項に記載の飼育装置。
【請求項５】
前記架台の下面に取り付けられたキャスターを有する、請求項１から４のいずれか１項に記載の飼育装置。
【請求項６】
請求項１から５のいずれか１項に記載の飼育装置を、前記一対の幅広の側方部の一方が壁に面するとともに、前記制御盤が前記飼育装置を挟んで前記壁の反対側となる前面側を向かないように配置することを含む、飼育装置の設置方法。
【発明の詳細な説明】
【技術分野】
【０００１】
本発明は、水槽と水槽の貯留水の浄化装置を備えた飼育装置とその設置方法に関する。
【背景技術】
【０００２】
水族館などに設置される水槽では定期的に水の交換が行われている。しかし、淡水の交換は大量の水道水を必要とすることがあり、海水の交換は海から離れた場所では多大な運搬コストを必要とすることがある。特許文献１には、水槽の貯留水を循環浄化させる飼育装置が開示されている。この飼育装置は水槽と、水槽を載置する架台と、架台に収容された浄化装置とを備えている。浄化装置はポンプ、電磁弁、水位センサなどを含むため、これらの制御装置も架台の内部に設置されている。
【先行技術文献】
【特許文献】
【０００３】
【特許文献１】特開平８−１９６１６７号公報
【発明の概要】
【発明が解決しようとする課題】
【０００４】
水槽の貯留水の交換頻度を抑えつつ貯留水の水質を維持するためには、浄化装置を高度化することが考えられる。その場合、設備数の増加に従い制御装置や電源も大型化するため、これらを制御盤としてユニット化することが好ましい。しかし、制御盤を飼育装置の前面に配置すると、他の設備の多くは制御盤の裏側に配置されることになる。浄化装置の中には定期的なメンテナンスを必要とする設備が多く、これらの設備のメンテナンス性が低下する可能性がある。
【０００５】
本発明は、浄化装置のメンテナンス性に優れた飼育装置を提供することを目的とする。
【課題を解決するための手段】
【０００６】
本発明の飼育装置は、水槽と、水槽が載置される架台と、架台の内部に設置され、水槽の貯留水を浄化する浄化装置と、架台の内部に設置された浄化装置の制御盤とを有し、架台の側方部は互いに対向する一対の幅広の側方部と互いに対向する一対の幅狭の側方部とからなる。一態様では、制御盤は一方の幅広の側方部に面して配置され、浄化装置の少なくとも一部は他方の幅広の側方部に面して配置されている。他の態様では、制御盤は一方の幅広の側方部に面して配置され、浄化装置の少なくとも一部は制御盤を挟んで一方の幅広の側方部の反対側に配置されている。さらに他の態様では、制御盤は一方の幅狭の側方部に面して配置され、浄化装置の少なくとも一部は一方の幅広の側方部に面して配置されている。
【発明の効果】
【０００７】
本発明の一態様によれば、制御盤は一方の幅広の側方部に面して配置され、浄化装置の少なくとも一部は他方の幅広の側方部に面して配置されている。従って、制御盤が裏側に位置するように飼育装置を配置することで、浄化装置の少なくとも一部を前面側に配置することができる。本発明の他の態様によれば、制御盤は一方の幅広の側方部に面して配置され、浄化装置の少なくとも一部は制御盤を挟んで一方の幅広の側方部の反対側に配置されている。従って、制御盤が裏側に位置するように飼育装置を配置することで、浄化装置の少なくとも一部を制御盤より前面側に配置することができる。本発明のさらに他の態様では、制御盤は一方の幅狭の側方部に面して配置され、浄化装置の少なくとも一部は一方の幅広の側方部に面して配置されている。従って、制御盤が側方に位置し一方の幅広の側方部が前面に位置するように飼育装置を配置することで、浄化装置の少なくとも一部は前面側に配置することができる。このように、いずれの態様でも、一対の幅広の側方部の一方が壁に面するとともに、制御盤が飼育装置を挟んで壁の反対側となる前面側を向かないように、飼育装置を設置することができる。よって、本発明によれば、浄化装置のメンテナンス性に優れた飼育装置を提供することが可能となる。
【図面の簡単な説明】
【０００８】
【図１】本発明の一実施形態に係る飼育装置の概略斜視図である。
【図２】図１に示す飼育装置の概略構成図である。
【図３】図１に示す飼育装置の正面図と背面図である。
【図４】図１に示す飼育装置の断面図である。
【図５】本発明の他の実施形態に係る飼育装置の断面図である。
【発明を実施するための形態】
【０００９】
本発明のいくつかの実施形態について図面を参照して説明する。まず、図１を参照して飼育装置の概略構成について説明する。図１は飼育装置の概略斜視図である。
【００１０】
飼育装置１は、水槽２と、水槽２が載置される架台３と、を有している。水槽２はアクリル板で形成され、概ね直方体の形状を有している。架台３は、水槽２が載置される天板４と、底板５と、天板４と底板５を連結する４本の柱部材６と、を有している。柱部材６は架台３の各コーナー部に設けられているが、さらに追加の柱部材が設けられてもよい。本実施形態の架台３は上からみて長方形の形状を有している。すなわち、架台３の側方部は互いに対向する一対の幅広の側方部３１と、互いに対向する一対の幅狭の側方部３２と、からなっている（図４参照）。架台３の側方部には何も設けられていないため、架台３の内部が直視可能となっているが、パネル７で架台３の内部を覆うようにしてもよい。または、架台３と鑑賞者との間に別のパネルや柵を設け、鑑賞者による意図しない操作を防止するようにしてもよい。ここで側方部とは互いに隣接するコーナー部の２つの柱部材６と天板４と底板５とで囲まれる平面領域を意味し、パネル７などの物理的な障壁が形成されているか否かを問わない。底板５の下面の各コーナー部の近傍にはキャスター８が取り付けられている。架台３の内部には、水槽２の貯留水を浄化する浄化装置１１が配置されている。
【００１１】
図２は飼育装置１の概略構成図である。水槽２の内部には少なくとも二重管構成のパイプ１２が設けられている。パイプ１２は被処理水である水槽２の貯留水を浄化装置１１に供給するとともに、浄化装置１１で処理された処理水を水槽２に戻す。パイプ１２は水槽２の底部で原水供給管１３に接続されている。被処理水は原水供給管１３から原水槽１４に供給され、原水槽１４に一時的に貯留される。原水槽１４に貯留された被処理水は原水ポンプ１５によってストレーナ１６に送られ、比較的大きな異物が除去され、さらにフィルター１７で微小な異物が除去される。フィルター１７としては限外ろ過膜（ＵＦフィルター）、精密ろ過膜（ＭＦフィルター）などを用いることができる。
【００１２】
フィルター１７の出口は活性炭原水槽１８に接続されている。活性炭原水槽１８に貯留された被処理水は活性炭原水ポンプ１９によって活性炭装置２０に導入される。後述のように被処理水はオゾンを含むことがあるため、被処理水に含まれる可能性のあるオゾンが活性炭装置２０で除去される。オゾンが除去された被処理水は温度調整装置２１に導入され、温度調整される。温度調整装置２１は冷却用のチラー（図示せず）、加温用のヒータ（図示せず）、またはこれらの両者を備えているが、飼育装置１の設置環境によってはこれらのいずれかを省略することができ、温度調整装置２１そのものを省略することもできる。温度調整装置２１は戻り管２５に接続されており、戻り管２５は水槽２の底部でパイプ１２に接続されている。浄化され温度調整された被処理水は処理水として、戻り管２５及びパイプ１２を通って水槽２に戻される。
【００１３】
一方、フィルター１７を出た被処理水の一部は泡沫分離装置２２に導入される。被処理水は連続的に泡沫分離装置２２に導入されてもよいし、必要に応じて泡沫分離装置２２に導入されてもよい。泡沫分離装置２２は気泡の供給装置（図示せず）を備え、被処理水に微小な気泡を導入する。気泡は有機物や細菌などを付着させながら泡沫分離装置２２の内部を上昇し、上部の採取カップ（図示せず）で捕捉される。また、泡沫分離装置２２はオゾンガスを供給するオゾン供給装置２３に接続されている。オゾンは気泡となって有機物や細菌を捕捉するだけでなく、被処理水中の有機物を分解処理する。分解された有機物も泡沫によって除去される。泡沫分離装置２２は戻り管２６を介して原水槽１４に接続されており、有機物や細菌が除去された被処理水は原水槽１４に戻される。このため、原水槽１４に貯留される被処理水はオゾンを含む場合がある。泡沫分離装置２２にはオゾン分解触媒装置２４が接続されている。オゾン分解触媒装置２４は、泡沫分離装置２２から排出される排オゾンを分解する。分解された排オゾンは必要に応じてオゾン濃度を測定し外部に排出することができる。なお、泡沫は海水で発生しやすいため、泡沫分離装置２２を用いる場合、被処理水は海水であることが好ましい。パイプ１２における被処理水の排出口から排出された処理水が被処理水の導入口から吸い込まれないように、処理水の排出口は被処理水の導入口から離れた位置に設けることが好ましい。
【００１４】
このように、被処理水はパイプ１２、原水供給管１３、原水槽１４、原水ポンプ１５、ストレーナ１６、フィルター１７、活性炭原水槽１８、活性炭原水ポンプ１９、活性炭装置２０、温度調整装置２１を通って処理水（浄化された貯留水）となり、戻り管２５及びパイプ１２を通って水槽２に戻される。また、一部の被処理水は泡沫分離装置２２で浄化された後、原水槽１４に戻され、上述の設備を通って水槽２に戻される。このように、水槽２の貯留水が循環浄化されるため、外部から補給する新鮮な水の量を抑制することができる。
【００１５】
架台３の内部には浄化装置１１の制御盤２６が配置されている。制御盤２６には原水ポンプ１５、活性炭原水ポンプ１９、温度調整装置２１（チラーのコンプレッサ、電気ヒータ等）、各種センサ等に電力を供給する電源装置、信号処理や各種制御を行うプロセッサーが実装された基板などが配置されている。従って、制御盤２６のサイズはかなり大きくなることがある。本実施形態では、架台３の寸法が幅約９１０ｍｍ、奥行き約６４０ｍｍ、高さ約８８０ｍｍであるのに対し、制御盤２６は幅約５００ｍｍ、奥行き約１７０ｍｍ、高さ約６９０ｍｍであり、設置面積比で約１５％、容積比で約１１％を占める。また、制御盤２６の外側パネルには飼育装置１の運転状態を示すディスプレイ２７、非常停止ボタン２８などが配置されている（図３（ｂ）参照）。
【００１６】
図３（ａ）は飼育装置１の図１のＡ方向からみた正面図、図３（ｂ）は飼育装置１の図１のＢ方向からみた背面図を示している。図４（ａ）は図３（ａ）のＡ−Ａ線で切った平面図、図４（ｂ）は図３（ａ）のＢ−Ｂ線で切った平面図である。前述のように、架台３の側方部は一対の幅広の側方部３１と一対の幅狭の側方部３２とからなっている。通常、水槽２は長辺が鑑賞者を向くように設置されるため、一対の幅広の側方部３１の一方が鑑賞者から見て前面となり、他方が鑑賞者から見て裏面となる。以下、鑑賞者から見て前面となる側方部を第１の幅広部３１Ａ、鑑賞者から見て裏面となる側方部を第２の幅広部３１Ｂという。図１に示すように、第２の幅広部３１Ｂは壁Ｗと対向していることが多い。両側の幅狭の側方部３２も他の飼育装置１や壁と対向していることが多い。従って、飼育装置１と鑑賞者との間にパネル等を設置しない場合、鑑賞者が視認できるのは第１の幅広部３１Ａだけであり、その他の側方部を鑑賞者が視認する可能性はほぼない。また、飼育装置１と鑑賞者との間にパネル等を設置した場合、第１の幅広部３１Ａを鑑賞者が視認する可能性もほぼない。
【００１７】
本実施形態では、制御盤２６は第２の幅広部３１Ｂに面して配置されている。従って、制御盤２６は鑑賞者から見えない位置にある。一方、浄化装置１１のうちストレーナ１６、フィルター１７（これらをまとめて第１の対象設備という）は、第１の幅広部３１Ａに面して配置されている。このように第１の対象設備が第１の幅広部３１Ａに面して配置される配置パターンを配置パターン１と呼ぶ。配置パターン１では第１の対象設備が第１の幅広部３１Ａに面して配置されていればよく、第１の対象設備と制御盤２６との位置関係は問わない。すなわち、第１の対象設備が制御盤２６の前方にあっても、制御盤２６の斜め前方にあってもよい。「第１の幅広部３１Ａに面して」とは、第１の対象設備が第１の幅広部３１Ａに近接した位置にある場合をいい、より具体的には、第１の幅広部３１Ａと第２の幅広部３１Ｂとの距離をＤとしたときに、第１の対象設備の重心位置が第１の幅広部３１Ａから概ね（１／４）×Ｄ以内の位置にある場合である。また、活性炭装置２０、泡沫分離装置２２、オゾン分解触媒装置２４（これらをまとめて第２の対象設備という）は制御盤２６を挟んで第２の幅広部３１Ｂの反対側に配置されている。このような配置パターンを配置パターン２と呼ぶ。配置パターン２では第２の対象設備が制御盤２６を挟んで第２の幅広部３１Ｂの反対側に配置されていればよく、第２の対象設備の重心位置が第２の幅広部３１Ｂよりも第１の幅広部３１Ａに近い位置にある場合と、第２の対象設備の重心位置が第１の幅広部３１Ａより第２の幅広部３１Ｂに近い位置にある場合の両者を含む。このように本実施形態では、制御盤２６は一方の幅広の側方部３１Ｂに面して配置されている。そして、浄化装置１１の少なくとも一部２０，２２，２４は制御盤２６を挟んで一方の幅広の側方部３１Ｂの反対側に配置され、浄化装置１１の少なくとも一部１６，１７は他方の幅広の側方部３１Ａに面して配置されている。なお、どの設備が第１の対象設備に属しどの設備が第２の対象設備に属するかは個々の配置によって決まるものであり、上記の例に限定されるわけではない。
【００１８】
これらの設備（第１及び第２の対象設備）は定期的なメンテナンスが必要である。具体的には、ストレーナ１６及びフィルター１７ではフィルターモジュールの交換、活性炭装置２０では活性炭の交換、オゾン分解触媒装置２４では触媒の交換が必要である。また、泡沫分離装置２２では採取カップで捕捉された泡沫が液体状態となって滞留するため、定期的な除去が必要である。ストレーナ１６、フィルター１７は第１の幅広部３１Ａに面して配置されているため（配置パターン１）、メンテナンスが極めて容易である。活性炭装置２０、泡沫分離装置２２、オゾン分解触媒装置２４は架台３のやや奥に配置されているが、障害物となる制御盤２６の前面側にあるため（配置パターン２）、メンテナンスは容易である。これに対して、制御盤２６を第１の幅広部３１Ａに面して配置すると、図３から容易に想像できるように、第１の幅広部３１Ａに面するスペースが限定され、一部の対象設備は制御盤２６の裏側に配置せざるを得ない（架台３の幅が約９１０ｍｍ、制御盤２６の幅が約５００ｍｍであるから、制御盤２６は架台３の幅の約５５％を占めることになる）。その場合、設備のメンテナンスのために飼育装置１を前面側に引き出す必要がある。なお、本実施形態では、浄化装置１１のうち定期的なメンテナンスを必要とする設備の一部が配置パターン１で配置され、残りが配置パターン２で配置されているが、これらの設備のすべてが配置パターン１で配置されてもよく、または配置パターン２で配置されてもよい。あるいは、これらの設備の少なくとも一部が配置パターン１且つ配置パターン２を満たすように配置されてもよい。
【００１９】
飼育装置１の通常運転時には制御盤２６を目視確認する必要性は小さいが、飼育装置１に不具合が発生した際には制御盤２６を目視確認する必要が生じることがある。その場合は、飼育装置１を前面側に引き出し、裏面の制御盤２６を確認する。架台３にキャスター８が設置されているため、引き出し作業を容易に行うことができる。なお、通常時に架台３が床面にしっかり固定されるように、キャスター８のロック装置（図示せず）が設けられていることが望ましい。
【００２０】
また、飼育装置１と鑑賞者との間にパネル等を介在させない場合、少なくとも第１の幅広部３１Ａにはパネル７を設けることが好ましいが、その際制御盤２６を前面に付けると鑑賞者による意図しない操作が行われる可能性がある。あるいは、制御盤２６に表示されたアラーム等が鑑賞者の目に入り、鑑賞者が不快に感じる可能性がある。パネル７は何の操作部も表示部も持たないようにすることが可能であるため、このような事態を防止することができる。また、何の操作部も表示部も持たないパネル７とすることで、魚の写真、解説などの表示場所としての利用価値が高まる。
【００２１】
図５は他の実施形態を示す図４と同様の断面図である。本実施形態では、制御盤２６は一方の幅狭の側方部３２に面して配置され、浄化装置１１のうち定期的なメンテナンスを必要とする設備の少なくとも一部は一方の幅広の側方部３１Ａに面して配置されている。定期的なメンテナンスを必要とする設備はどちらの幅広の側方部３１Ａ，３１Ｂに面していてもよい。飼育装置１はこれらの設備が面している側方部３１Ａまたは３１Ｂが前面側となるように配置される。なお、定期的なメンテナンスを必要とする設備は上述の通り、ストレーナ１６、フィルター１７、活性炭装置２０、泡沫分離装置２２及びオゾン分解触媒装置２４である。
【符号の説明】
【００２２】
１  飼育装置
２  水槽
３  架台
８  キャスター
１１  浄化装置
１６  ストレーナ（フィルター）
１７  フィルター（フィルター）
２０  活性炭装置
２２  泡沫分離装置
２３  オゾン供給装置
２４  オゾン分解触媒装置
２６  制御盤
３１  幅広の側方部
３１Ａ  第１の幅広部（他方の幅広の側方部）
３１Ｂ  第２の幅広部（一方の幅広の側方部）
３２  幅狭の側方部
【図１】
2020018213.tif 000003
【図２】
2020018213.tif 000004
【図３】
2020018213.tif 000005
【図４】
2020018213.tif 000006
【図５】
2020018213.tif 000007